(57)【要約】      （修正有）【課題】材質に基づく意匠的効果を有するランプシェードを提供する。【解決手段】外面２にデニム生地部分を有する。デニム生地は、独特の風合いがあり、透光性がほとんどないことにより、半透光性の従来のランプシェードとは異なった意匠的効果を有する。衣服を裁断して作成されたものであることによって独特の意匠を構成することや、下方に設けられた光反射性の装飾物３や下縁に設けられたモール用の装飾体８による意匠的効果を加えることができる。【選択図】図３
0003188531.tif 000002
【実用新案登録請求の範囲】
【請求項１】
外面にデニム生地部分を有することを特徴とする、ランプシェード。
【請求項２】
前記デニム生地部分は、衣服を裁断して作成されたものであることを特徴とする、請求項１に記載のランプシェード。
【請求項３】
錐形又は柱形の筒体であり、下面に開放部を有することを特徴とする、請求項１又は２に記載のランプシェード。
【請求項４】
前記デニム生地部分は、前記筒体の側面を覆うものであることを特徴とする、請求項３２に記載のランプシェード。
【請求項５】
前記開放部の周縁に光反射性の装飾物を有することを特徴とする、請求項３又は４に記載のランプシェード。
【請求項６】
内面が光反射性であることを特徴とする、請求項１〜５のいずれか１項に記載のランプシェード。
【考案の詳細な説明】
【技術分野】
【０００１】
本考案は、ランプシェードに関する。
【背景技術】
【０００２】
中心部に電球を有し、電球の周囲に電球からの直接光を遮断して間接光とするランプシェードを有する電灯は、広く用いられている。かかる電灯において、ランプシェードは、直接光を遮断して間接光とするのみでなく、それ自身の意匠的効果（透光性の大小を含む）を有し、電灯の使用される部屋のインテリアとして活用されている。
【０００３】
従来、ランプシェードとしては、半透光性で単色のものが多かった。また、ランプシェードに模様が付されることはあったが、ランプシェードの材質に基づく意匠的効果を追求したものはなかった。直接光を遮断して間接光とすることが中心的に考えられたためと思われる。
【０００４】
特許文献１及び２には、意匠的効果を追求したランプシェードが開示されている。特許文献１はシェード骨組の色彩及び透光性によるもの、特許文献２はシェード内部にもう蹴られたデザイン部によるものである。しかし、いずれもランプシェードの材質に基づくものではない。
【先行技術文献】
【特許文献】
【０００５】
【特許文献１】特開２００７−２８０６２９号公報
【特許文献２】特開２０１３−０４１７９０号公報
【考案の概要】
【考案が解決しようとする課題】
【０００６】
本考案は、材質に基づく意匠的効果を有するランプシェードを提供することを課題とする。
【課題を解決するための手段】
【０００７】
デニム生地製のランプシェードによって課題を解決する。デニム生地は、（１）独特の風合いがあること、（２）多くの場合に透光性がほとんどないこと、により、半透光性の従来のランプシェードとは異なった意匠的効果を有するものである。
【０００８】
本考案のランプシェードは、
外面にデニム生地部分を有することを特徴とする。
【０００９】
視認しやすい外面にデニム生地部分を有することで、デニム生地が直視され、デニム生地の風合いによる意匠的効果を得る。
デニム生地には透光性がほとんどないので、間接照明効果を求めた従来のランプシェードとは光学的な意匠効果が異なり、新たなデザインとなる。
【００１０】
本考案のランプシェードは、
前記デニム生地部分は、衣服を裁断して作成されたものであることを特徴とする。
【００１１】
衣服（例えばスカート）の印象により、本考案に固有のデザインとなる。
【００１２】
本考案のランプシェードは、
錐形又は柱形の筒体であり、下面に開放部を有することを特徴とする。
【００１３】
デニム生地に透光性がほとんどないため、開放部からランプシェード外に放出される光とデニム生地部分とのコントラストが特徴的なデザインとなる。
【００１４】
本考案のランプシェードは、
前記デニム生地部分は、前記筒体の側面を覆うものであることを特徴とする。
【００１５】
透光性のほとんどないデニム生地が筒体の側面を覆うことで、ランプシェード外に放出される光が開放部に集中する。コントラストの強いデザインとなる。
【００１６】
本考案のランプシェードは、
前記開放部の周縁に光反射性の装飾物を有することを特徴とする。
【００１７】
上記コントラストにより、光反射性の装飾物が、際立って美しく見える。
【００１８】
本考案のランプシェードは、
内面が光反射性であることを特徴とする。
【００１９】
電球からの光が効率的にランプシェード外に放出されるようにするものである。
【考案の効果】
【００２０】
本考案のランプシェードは、デニム生地の材質に基づく意匠的効果を有する。
【図面の簡単な説明】
【００２１】
【図１】図１は、ランプシェードを示す図である。
【図２】図２は、ランプシェードの内部を示す断面図である。
【図３】図３は、ランプシェードの例を示す写真である。
【考案を実施するための形態】
【００２２】
（ランプシェードの構造）
図１は、ランプシェードを示す図である。図は、ランプシェードの構造を示すものであり、各々の部材の形状は簡略化して示されている。
【００２３】
電灯の支柱４の上方に、ランプシェード１が設けられている。ランプシェード１は、円錐台形状の筒体である。ランプシェード１は、針金等の支持体（非図示）によって支柱４に固定されている。
【００２４】
ランプシェード１の外面２にはデニム生地部分が設けられている。デニム生地部分は、外面２の全面にわたっている。すなわち、ランプシェード１（筒体）の側面を覆う。
【００２５】
ランプシェード１の下面の周縁には、光反射性の装飾物３が設けられている。装飾物３は、スワロフスキーである。
【００２６】
（ランプシェードの内部）
図２は、ランプシェードの内部を示す断面図である。ランプシェード１の形状である円錐台の直径に沿った断面である。
【００２７】
円錐台の上面及び下面は開放されている（部材がない）。下面の開放部５及び上面の周縁は円形の針金である。上面と下面の周縁の針金の間に、外面２を構成するデニム生地が張られている。
【００２８】
デニム生地の裏側（ランプシェードの内側）は、白色であり、光反射性を有する。電球６からの光は、ランプシェードの内側に反射され又は直接に、開放された上面又は下面から放出される。直接に下面から放出される光７ａ、反射されて下面から放出される光７ｂ、直接に上面から放出される光７ｃ、反射されて上面から放出される光７ｄがある。
【００２９】
下面の開放部５の周縁には、さまざまな方向からの光が照射される。装飾物３は、さまざまな方向からの光によって、美しく見える。
【００３０】
（デザインの例）
図３は、ランプシェードの例を示す写真である。実際の効果を表すために、室内において撮影し、背景も示してある。
【００３１】
外面２のデニム生地部分は、ジーンズの腰の部分を裁断して作成されたものである。ベルト通し、ポケット等によって、固有の意匠的効果を示している。デニム生地部分の下縁には、モール状の装飾体８が付されている。
【００３２】
デニム生地は透光性を有していない。また、上面は布により遮光されている。このため、電球からの光は全て下面より放射される。半透光性のランプシェードとは光学的に異なるデザインである。
【００３３】
スワロフスキーである装飾物３は、上述のようにさまざまな方向からの光が照射され、きらびやかに輝いている。
【００３４】
以上のデザインが個性的、特徴的なものであることは、写真（図３）により明らかである。
【００３５】
（実施例の拡張）
以上に実施例を示したが、本考案の技術的範囲は実施例に限定されるものではない。以下、実施例から拡張される例を示す。
【００３６】
ランプシェード１は、円錐台形状の筒体に限られない。頂点を有する円錐形状として開放部を下面のみとしてもよい。円柱形状、四角推形状、四角柱形状の筒体であってもよい。
【００３７】
装飾物３は、光を反射するものであればよく、スワロフスキー以外のものであってもよい例えば、通常のガラス球、金属片を装飾物３として用いることができる。また、複数ある装飾物３の各々が異なるものであってもよい。また、装飾物３を有さないものも本考案の技術的範囲に含まれる。
【００３８】
デニム生地の裏側（ランプシェードの内側）は、光反射性を有するものであればよく、デニム生地の裏側が白色である以外に、白色の布を貼付したものや、鏡を設けたものであってもよい。また、光反射性がないものも本考案の技術的範囲に含まれる。
【００３９】
また、デニム生地の裏側に何も付さず、デニム生地をそのまま用いてもよい。
【００４０】
デニム生地は、衣服を裁断して製作されたものでなくてもよい。単にデニムの反物を用いてもよい。また、デニムの反物にステッチを加える等のことによって衣服のようなデザイン（例えばデニムのスカートやジーンズを模したデザイン）としてもよい。
【００４１】
デニム生地の形状は、ジーンズの腰の部分のような形状に限定されない。意匠的効果に基づいて任意の形状を用いることができる。
【００４２】
デニム生地に依存して、透光性を有するものもあるが、かかるデニム生地を用いてもよい。
【００４３】
実施例において照明はフロア用のスタンド照明であるが、壁付けのブラケット照明、机上設置のデスクスタンドや、天井から吊るすペンダント照明、シャンデリア（フレームの部分にデニムを巻いた仕様なども含む）、シーリングライト、その他の照明にもランプシェードは利用可能であり、本考案の技術的範囲にはこれらの照明のためのランプシェードも含まれる。
【産業上の利用可能性】
【００４４】
デニム生地の材質に基づく意匠的効果を有するランプシェードであり、多くの個人による利用が期待される。
また、ファッション性の高いインテリアアイテムであり、個人邸に限定されずに店舗などでの利用も期待される。
なお、デニム地をインテリアに用いたデザインは稀であり、特に、照明にデニムの衣服を利用したものは存在しなかった。デニムは多くの世代に愛用されて、年代ものの愛好者も多く、アンティーク家具などとの相性も含め、幅広い利用が期待される。
【符号の説明】
【００４５】
１  ランプシェード
２  外面
３  装飾物
４  支柱
５  開放部
６  電球
７  光
８  装飾体
【図１】
0003188531.tif 000003
【図２】
0003188531.tif 000004
【図３】
0003188531.tif 000005
【手続補正書】
【提出日】平成25年11月23日(2013.11.23)
【手続補正１】
【補正対象書類名】実用新案登録請求の範囲
【補正対象項目名】請求項４
【補正方法】変更
【補正の内容】
【請求項４】
前記デニム生地部分は、前記筒体の側面を覆うものであることを特徴とする、請求項３に記載のランプシェード。
【手続補正２】
【補正対象書類名】明細書
【補正対象項目名】００２５
【補正方法】変更
【補正の内容】
【００２５】
ランプシェード１の下面の周縁には、光反射性の装飾物３が設けられている。装飾物３は、クリスタルガラスである。
【手続補正３】
【補正対象書類名】明細書
【補正対象項目名】００３３
【補正方法】変更
【補正の内容】
【００３３】
クリスタルガラスである装飾物３は、上述のようにさまざまな方向からの光が照射され、きらびやかに輝いている。
【手続補正４】
【補正対象書類名】明細書
【補正対象項目名】００３７
【補正方法】変更
【補正の内容】
【００３７】
装飾物３は、光を反射するものであればよく、クリスタルガラス以外のものであってもよい。例えば、通常のガラス球、金属片を装飾物３として用いることができる。また、複数ある装飾物３の各々が異なるものであってもよい。また、装飾物３を有さないものも本考案の技術的範囲に含まれる。